(57)【要約】【課題】物品収納時にも物品使用時にも物品を保冷保温できる保冷保温庫を提供する。【解決手段】物品７を収納する収納空間１１および前記物品７を出し入れするための開口部１２を有する本体ケース１０と、前記開口部１２を開閉する蓋体２０とが設けられ、前記蓋体２０には、前記物品７を載置する載置面２１と、該載置面２１および前記収納空間１１を冷却または加熱する温度調節装置４０が設けられていることを特徴とする保冷保温庫。【選択図】  図１
2004271035.tif 000002
【特許請求の範囲】
【請求項１】
物品を収納する収納空間および前記物品を出し入れするための開口部を有する本体ケースと、
前記開口部を開閉する蓋体とが設けられ、
前記蓋体には、前記物品を載置する載置面と、該載置面および前記収納空間を冷却または加熱する温度調節装置が設けられていることを特徴とする保冷保温庫。
【請求項２】
前記収納空間を冷却または加熱するために前記開口部を閉めているときの前記蓋体の前記収納空間側に熱伝導部材が設けられ、該熱伝導部材が前記温度調節装置の吸熱側、放熱側の一方側との間で伝熱されるように構成されていることを特徴とする請求項１記載の保冷保温庫。
【請求項３】
前記蓋体の前記熱伝導部材が前記物品の載置面になることを特徴とする請求項２に記載の保冷保温庫。
【請求項４】
前記蓋体内に前記温度調節装置の吸熱側、放熱側の他方側と熱交換する空気を通すための第１空気通路が設けられ、該第１空気通路と前記熱伝導部材の間に断熱部材が設けられていることを特徴とする請求項２または請求項３に記載の保冷保温庫。
【請求項５】
前記蓋体内に前記第１空気通路のほかに第２空気通路が設けられ、前記第１空気通路、前記第２空気通路の一方は前記温度調節装置の吸熱側、放熱側の他方側に空気を送気する送気通路であり、前記第１空気通路、前記第２空気通路の他方は前記温度調節装置の吸熱側、放熱側の他方側に送気された空気を排気する排気通路であることを特徴とする請求項４記載の保冷保温庫。
【請求項６】
前記開口部が前記本体ケースの上方に設けられていることを特徴とする請求項１〜５のいずれかに記載の保冷保温庫。
【請求項７】
前記開口部が前記本体ケースの側方に設けられていることを特徴とする請求項１〜５のいずれかに記載の保冷保温庫。
【請求項８】
前記温度調節装置がペルチェモジュールであることを特徴とする請求項１〜７のいずれかに記載の保冷保温庫。
【発明の詳細な説明】
【０００１】
【発明の属する技術分野】
本発明は保冷保温庫に関する。
【０００２】
【従来の技術】
従来の保冷保温庫は、特許文献１や特許文献２に示されるように、ペルチェ素子などを使用して断熱された箱の中を冷却または加熱して、保冷または保温を行うものであった。
【０００３】
【特許文献１】
特開２０００−１１１２２８号公報
【０００４】
【特許文献２】
特開平６−３０７７５２号公報
【０００５】
【発明が解決しようとする課題】
しかしながら、上記した従来技術では保冷または保温した飲食物などを保冷保温庫から取り出し飲食する場合、どんどん熱が逃げてしまい、保冷していたものは暖まってしまう、保温していた物は冷めてしまうという問題点があった。特に、介護サービスなどで使用される介護食や老人食などでは食事時間が長い場合があり、その場合飲食物が暖まったり、冷めたりしておいしさが失われてしまうという大きな問題があった。またアイスクリームなどでは溶けてしまい本来のおいしさが失われるという大きな問題があった。
【０００６】
本発明は上記課題を解決したもので、物品収納時にも物品使用時にも物品を保冷保温できる保冷保温庫を提供する。
【０００７】
【課題を解決するための手段】
上記技術的課題を解決するために、本発明の請求項１において講じた技術的手段（以下、第１の技術的手段と称する。）は、物品を収納する収納空間および前記物品を出し入れするための開口部を有する本体ケースと、前記開口部を開閉する蓋体とが設けられ、前記蓋体には、前記物品を載置する載置面と、該載置面および前記収納空間を冷却または加熱する温度調節装置が設けられていることを特徴とする保冷保温庫である。
【０００８】
上記第１の技術的手段による効果は、以下のようである。
【０００９】
すなわち、物品収納時には温度調節装置によって収納空間を冷却または加熱でき、かつ物品使用時には物品を載置する載置面を冷却または加熱できるので、物品収納時にも物品使用時にも物品を保冷保温できる。
【００１０】
上記技術的課題を解決するために、本発明の請求項２において講じた技術的手段（以下、第２の技術的手段と称する。）は、前記収納空間を冷却または加熱するために前記開口部を閉めているときの前記蓋体の前記収納空間側に熱伝導部材が設けられ、該熱伝導部材が前記温度調節装置の吸熱側、放熱側の一方側との間で伝熱されるように構成されていることを特徴とする請求項１記載の保冷保温庫である。
【００１１】
上記第２の技術的手段による効果は、以下のようである。
【００１２】
すなわち、温度調節装置の吸熱側、放熱側の一方側に伝熱可能に連結された熱伝導部材が収納空間側にあるので、温度調節装置の冷熱または温熱を熱伝導部材を介して収納空間に伝達でき、効果的に収納空間を保冷または保温することができる。
【００１３】
上記技術的課題を解決するために、本発明の請求項３において講じた技術的手段（以下、第３の技術的手段と称する。）は、前記蓋体の前記熱伝導部材が前記物品の載置面になることを特徴とする請求項２に記載の保冷保温庫である。
【００１４】
上記第３の技術的手段による効果は、以下のようである。
【００１５】
すなわち、熱伝導部材が物品の載置面になっているので、熱伝導部材によって温度調節装置の冷熱または温熱を収納空間に効果的に伝達できるとともに、物品使用時の物品にも温度調節装置の冷熱または温熱を効果的に伝達できる。この結果、温度調節装置の冷熱または温熱を伝達する熱伝導部材を物品収納時にも物品使用時にも共用できるので、蓋体を小型化でき、かつ低コスト化できる。
【００１６】
上記技術的課題を解決するために、本発明の請求項４において講じた技術的手段（以下、第４の技術的手段と称する。）は、前記蓋体内に前記温度調節装置の吸熱側、放熱側の他方側と熱交換する空気を通すための第１空気通路が設けられ、該第１空気通路と前記熱伝導部材の間に断熱部材が設けられていることを特徴とする請求項２または請求項３に記載の保冷保温庫である。
【００１７】
上記第４の技術的手段による効果は、以下のようである。
【００１８】
すなわち、温度調節装置の吸熱側、放熱側の他方側と熱交換する空気を通すための第１空気通路設けられているので、温度調節装置の一方側から他方側への熱移動を促進でき、保冷または保温のエネルギー効率を向上することができる。また第１空気通路と熱伝導部材の間に断熱部材が設けられているので、熱伝導部材の冷熱または温熱が第１空気通路側に逃げることを防止でき、より効果的に物品を保冷または保温することができる。
【００１９】
上記技術的課題を解決するために、本発明の請求項５において講じた技術的手段（以下、第５の技術的手段と称する。）は、前記蓋体内に前記第１空気通路のほかに第２空気通路が設けられ、前記第１空気通路、前記第２空気通路の一方は前記温度調節装置の吸熱側、放熱側の他方側に空気を送気する送気通路であり、前記第１空気通路、前記第２空気通路の他方は前記温度調節装置の吸熱側、放熱側の他方側に送気された空気を排気する排気通路であることを特徴とする請求項４記載の保冷保温庫である。
【００２０】
上記第５の技術的手段による効果は、以下のようである。
【００２１】
すなわち、第１空気通路、第２空気通路の一方から送られた空気が温度調節装置の吸熱側、放熱側の他方側と熱交換した後、第１空気通路、第２空気通路の他方から排出されるので、蓋体内部に存在する温度調節装置の吸熱側、放熱側の他方側と効率的に熱交換することができる。また温度調節装置を設ける位置の自由度が増す効果を奏する。
【００２２】
上記技術的課題を解決するために、本発明の請求項６において講じた技術的手段（以下、第６の技術的手段と称する。）は、前記開口部が前記本体ケースの上方に設けられていることを特徴とする請求項１〜５のいずれかに記載の保冷保温庫である。
【００２３】
上記第６の技術的手段による効果は、以下のようである。
【００２４】
すなわち、蓋体の物品載置面を上方に向けて開口部に蓋体を載置できるので、物品使用時に本体ケースを台として活用できる効果を奏する。収納空間側に設けられた熱伝導部材が物品の載置面になっている場合には、蓋体を上下反転させるだけで、物品収納時にも物品使用時にも物品を保冷または保温できる。さらに開口部が上方にあれば、物品が本体ケースに入れてあるときに蓋体を開ける際に誤って物品が転がり出ることを防止できる。
【００２５】
上記技術的課題を解決するために、本発明の請求項７において講じた技術的手段（以下、第７の技術的手段と称する。）は、前記開口部が前記本体ケースの側方に設けられていることを特徴とする請求項１〜５のいずれかに記載の保冷保温庫である。
【００２６】
上記第７の技術的手段による効果は、以下のようである。
【００２７】
すなわち、開口部が本体ケースの側方に設けられているので、本体ケースから物品を容易に取り出すことができる。さらに温度調節装置が低い位置にあるため重心が低くなり保冷保温庫の安定感が増す効果を奏する。
【００２８】
上記技術的課題を解決するために、本発明の請求項８において講じた技術的手段（以下、第８の技術的手段と称する。）は、前記温度調節装置がペルチェモジュールであることを特徴とする請求項１〜７のいずれかに記載の保冷保温庫である。
【００２９】
上記第８の技術的手段による効果は、以下のようである。
【００３０】
すなわち、温度調節装置がペルチェモジュールであるので、蓋体を小型化できるとともに、ペルチェモジュールに供給する電流の向きを変えるだけで保冷と保温を切り替えることができる。
【００３１】
【発明の実施の形態】
以下、本発明の実施形態について、図面に基づいて説明する。実施形態においては物品は飲食物であるとして説明する。図１は第１実施形態の保冷保温庫の飲食物収納時の説明断面図である。図２は第１実施形態の保冷保温庫の飲食時の説明断面図である。図３はペルチェモジュールの斜視図である。
【００３２】
図３は第２絶縁基板３の一部を省略している。第１絶縁基板２、第２絶縁基板３にはそれぞれ電極２ａ、３ａが設けられ、熱電素子１はＰ型熱電素子またはＮ型熱電素子であり、良く知られているようにＰ型熱電素子とＮ型熱電素子が交互に電極２ａまたは電極３ａによって電気的に直列に接続され、熱電回路部６が構成されている。ペルチェモジュール４０は、熱電回路部６を第１絶縁基板２と第２絶縁基板３で挟持し、熱電素子１と第１絶縁基板２の電極２ａおよび熱電素子１と第２絶縁基板３の電極３ａを図示しない半田で接合して形成されている。第１絶縁基板２には熱電回路部６の両端に電流を供給するためのリード線４の一端が半田５により接続されている。
【００３３】
リード線４から電流を供給することによって、第１絶縁基板２、第２絶縁基板３の一方側が吸熱側となり、他方側が放熱側となる。供給する電流の向きを変えることによって第１絶縁基板２を吸熱側にしたり、第２絶縁基板３を吸熱側にしたりできる。吸熱側を利用すれば対象物を冷却でき、放熱側を利用すれば対象物を加熱できる。すなわち、ペルチェモジュール４０を温度調節装置として利用できる。
【００３４】
第１実施形態の保冷保温庫には、物品７を収納する収納空間１１および物品７を出し入れするための開口部１２を有する本体ケース１０と、蓋体２０とが設けられている。物品７は飲食物をいれたカップやボトルである。本体ケース１０は断熱材１３を内張１４と外板１５で挟持した断熱構造で構成されている。本体ケース１０の開口部１２は上方に設けられている。
【００３５】
蓋体２０には熱伝導部材２１、断熱部材２２、第１空気通路２３、第２空気通路２４、仕切部材２５、ペルチェモジュール４０、フィン４１、ファン４２および外板２６から構成されている。蓋体２０の外径形状は略平板状である。蓋体２０の一方面側には、熱伝導部材２１と、熱伝導部材２１の外周部を覆う外板２６の一部で構成され開口部１２と嵌合する第１嵌合部２７が設けられている。蓋体２０の他方面側には開口部１２と嵌合する第２嵌合部２８を有する外板２６が設けられている。第１嵌合部２７、第２嵌合部２８は開口部１２の周囲全体にわたって設けられている。
【００３６】
収納空間１１内に物品７を保冷または保温するために蓋体２０を本体ケース１０上に載置する物品収納時には第１嵌合部２７が開口部１２に嵌合される。このとき熱伝導部材２１は、収納空間１１側に位置し、その一部は収納空間１１側に露出している。蓋体２０をトレイとして使用する物品使用時には第２嵌合部２８が開口部１２に嵌合される。このとき熱伝導部材２１は上方に位置し、物品７の載置面となっている。熱伝導部材２１には、蓋体２０をトレイとして使用する際に物品７を置くための凹部形状のホルダ部２１ａが設けられている。
【００３７】
収納空間１１側に対して熱伝導部材２１の反対側にはペルチェモジュール４０の第１絶縁基板２が接合されている。ペルチェモジュール４０の第２絶縁基板３にはフィン４１が接合されている。ペルチェモジュール４０に対してフィン４１の反対側にはファン４２が設けられている。
【００３８】
第１空気通路２３は蓋体２０内に蓋体２０の平板面と略平行に設けられた、フィン４１に空気を送るための空気通路である。第１空気通路２３の両端面は外板２６に覆われ、その外板２６の部分に外気を取り入れるための空気供給口２３ａが設けられている。第１空気通路２３はペルチェモジュール４０の第２絶縁基板３側と熱交換する空気を通すための空気通路である。第１空気通路２３と熱伝導部材２１の間には断熱部材２２が設けられている。
【００３９】
蓋体２０内には第１空気通路２３に略平行な第２空気通路２４が熱伝導部材２１に対して第１空気通路２３の反対側に設けられ、第１空気通路２３と第２空気通路２４の間は仕切部材２５で仕切られている。第２空気通路２４の両端面は外板２６に覆われ、その外板２６の部分に空気を排出するための空気排出口２４ａが設けられている。仕切部材２５には穴部が形成され、ここにファン４２が設けられている。第１空気通路２３と第２空気通路２４はファン４２の部分で連通している。
【００４０】
ファン４２によって、空気供給口２３ａから取り入れられた空気は第１空気通路２３を通ってフィン４１で熱交換し第２空気通路２４を通って空気排出口２４ａから排出される。第１実施形態では、第１空気通路２３が送気通路であり、第２空気通路２４が排気通路である。
【００４１】
熱伝導部材２１の材料としてはアルミニウム材を使用しているが、これに限定されず、銅などの金属や窒化アルミなどのセラミックなどの熱伝導材料が使用できる。断熱部材２２の材料としては発泡ウレタンを使用しているが、発泡スチロールなどの断熱材料や、ポリエチレンメッシュなどのメッシュ形状や構造的に断熱性を付与した部材が使用できる。仕切部材２５の材料としてポリプロピレン樹脂を使用しているが、特に材料は限定されない。しかし、第１空気通路２３と第２空気通路２４の間で熱伝導が起こらないことが望ましく、樹脂材料のように断熱材料が望ましい。
【００４２】
外板２６の材料としてはナイロン樹脂を使用しているが、特に限定されない。しかし、蓋体２０をトレイとして使用するときに上下反転させて蓋体２０を開口部１２に載置し、収納空間１１内に物品７が残っていれば、保温または保冷されていた状態を保ち続けることができるので、断熱性に優れた材料を使用することが望ましい。
【００４３】
蓋体２０は保冷保温庫の開閉やトレイとして使用するために上下反転させる必要性から熱伝導部材２１、仕切部材２５など蓋体２０を構成する部材は軽量であることが望ましい。また保冷保温庫は、内部に物品を入れて運搬する利用方法が一般的であり、蓋体２０を構成する部材とともに断熱部材２２など本体ケース１０を構成する部材も軽量であることが望ましい。
【００４４】
物品７を保冷保温庫内に保管して保冷または保温するときは、図１のように、飲食物が入った物品７を収納空間１１内に入れて、第１嵌合部２７が開口部１２に嵌合するように蓋体２０を本体ケース１０上に載置する。このまま保冷保温庫を運搬することもできる。その場合、保冷保温庫に取っ手などを設け、運搬しやすくする。運搬時には、物品７として飲食物がこぼれにくい容器が使用される。
【００４５】
図示されていないが蓋体２０の外板２６の外部には、保冷か保温を選択するスイッチと、その温度を指示する操作部が設けられている。そのスイッチで保冷を選択すると、図示されていない蓋体２０に設けられた制御部により熱伝導部材２１を冷却するようにペルチェモジュール４０に電流が流される。すなわち、ペルチェモジュール４０の第１絶縁基板２が吸熱側、第２絶縁基板３が放熱側になるようペルチェモジュール４０に電流が流される。
【００４６】
熱伝導部材２１が冷却されると、熱伝導部材２１の近くの空気が冷却され、収納空間１１が冷却される。これにより物品７が保冷される。制御部は操作部で設定された温度になるようペルチェモジュール４０に流す電流量を制御する。もちろん、この温度制御をペルチェモジュール４０に流す電流をオン・オフ制御で行ってもよい。このとき吸熱された熱は第２絶縁基板３側に放熱される。第１実施形態では第２絶縁基板３の熱はフィン４１に伝達される。
【００４７】
ファン４２の回転により空気が空気供給口２３ａから第１空気通路２３に取り入れられ、フィン４１で熱交換し第２空気通路２４を通って空気排出口２４ａから排出される。こうしてフィン４１により第２絶縁基板３の熱が放熱されるので、保冷のエネルギー効率が向上される。
【００４８】
一方、スイッチで保温を選択すると、蓋体２０に設けられた制御部により熱伝導部材２１を加熱するようにペルチェモジュール４０に電流が流される。すなわち、ペルチェモジュール４０の第１絶縁基板２が放熱側、第２絶縁基板３が吸熱側になるようペルチェモジュール４０に電流が流される。
【００４９】
熱伝導部材２１が加熱されると、熱伝導部材２１の近くの空気が加熱され、収納空間１１が加熱される。これにより物品７が保温される。制御部は操作部で設定された温度になるようペルチェモジュール４０に流す電流量を制御する。このとき第２絶縁基板３側は吸熱され冷却される。第１実施形態では第２絶縁基板３に接合されているフィン４１が冷却される。
【００５０】
ファン４２の回転により空気が空気供給口２３ａから第１空気通路２３に取り入れられ、フィン４１で熱交換し第２空気通路２４を通って空気排出口２４ａから排出される。こうしてフィン４１により第２絶縁基板３が温められるので、保温のエネルギー効率が向上される。
【００５１】
第１空気通路２３と熱伝導部材２１の間に断熱部材２２が設けられているので、熱伝導部材２１の冷熱または温熱が第１空気通路２３側に逃げることを防止でき、より効果的に保冷または保温できる。また第１空気通路２３と第２空気通路２４を仕切る仕切部材２５が断熱材料であるため、第１空気通路２３と第２空気通路２４の間の伝熱を防止でき、より効果的にフィン４１と熱交換できる。
【００５２】
第１絶縁基板２は、保冷か保温にいずれに選択されたかによって吸熱側になったり放熱側になったりする。したがって熱伝導部材２１はペルチェモジュールの吸熱側、放熱側の一方側との間で伝熱されるように構成されている。一方、第２絶縁基板３は第１絶縁基板２が吸熱側の時に放熱側となり、第１絶縁基板２が放熱側の時に吸熱側となる。したがって、第１空気通路２３はペルチェモジュールの吸熱側、放熱側の他方側と熱交換する空気を通すための通路である。なお、第１実施形態では第１空気通路２３を送気通路、第２空気通路２４を排気通路として使用しているが、逆に第２空気通路２４を送気通路、第１空気通路２３を排気通路としてもよい。しかし、第１空気通路２３を送気通路にすれば、フィン４１で熱交換した空気が第１空気通路２３を通らないので、断熱部材２２の断熱効果を高めることができる。
【００５３】
飲食物を飲食するときは、図２のように、蓋体２０をトレイとして使用する。すなわち、蓋体２０を上下逆転して第２嵌合部２８が開口部１２に嵌合するように本体ケース１０上に載置する。物品の載置面となる熱伝導部材２１が上方に向いている。飲食物が入った物品７を熱伝導部材２１のホルダ部２１ａに置いて飲食する。上記の保管時と同様に操作部のスイッチで保冷を選択すると熱伝導部材２１が冷却され、保温を選択すると熱伝導部材２１が加熱される。保冷が必要な飲食物の場合はスイッチを保冷にし、保温が必要な飲食物の場合はスイッチを保温にする。こうして、飲食中に飲食物の温度が飲食物に適した温度に保つことができ、飲食物をおいしく食べることができる。特に、老人食はゼリー状で室温では溶けてしまうため、有効に活用できる。また本体ケース１０上に載置した蓋体２０をトレイとして使用するので、本体ケース１０が机等の代わりになり、机等がない場所でも食べやすい効果を奏する。
【００５４】
第１実施形態のように、開口部が本体ケースの上方に設けられ、収納空間側に設けられた熱伝導部材が物品の載置面になっている場合には、蓋体を上下反転させるだけで、物品収納時にも物品使用時にも物品を保冷または保温できるし、物品の使用時にも収納空間内に残された物品を保冷または保温できる。さらに開口部が上方にあれば、物品が本体ケースに入れてあるときに蓋体を開ける際に誤って物品が転がり出ることを防止できる。
【００５５】
図４は蓋体のみをトレイとして使用するときの説明断面図である。蓋体２０を本体ケース１０から離して単独でトレイとして使用する。この場合、蓋体２０と机等の適当な台上に載置して使用する。物品７を保冷または保温する機能は蓋体２０を本体ケース１０上に載置した場合と同様である。
【００５６】
図５は第２実施形態の保冷保温庫の飲食物収納時の説明断面図である。図６は第２実施形態の保冷保温庫の飲食時の説明断面図である。第２実施形態の保冷保温庫の本体ケースは第１実施形態と同様の構造であり、同じ符号を付与し説明を省略する。第２実施形態の保冷保温庫は本体ケース１０と蓋体３０で構成されている。
【００５７】
蓋体３０には熱伝導部材３１、断熱部材３２、第１空気通路３３、空気供給口３４、ペルチェモジュール４０、フィン４１、ファン４２および外板３６から構成されている。蓋体３０の外径形状は略平板状である。蓋体３０の一方面側には、熱伝導部材３１と、熱伝導部材３１の外周部を覆う外板３６の一部で構成され開口部１２と嵌合する第１嵌合部３７が設けられている。蓋体３０の他方面側には開口部１２と嵌合する第２嵌合部３８を有する外板３６が設けられている。第１嵌合部３７、第２嵌合部３８は開口部１２の周囲全体にわたって設けられている。
【００５８】
収納空間１１内に物品７を保冷または保温するために蓋体３０を本体ケース１０上に載置するときは第１嵌合部３７が開口部１２に嵌合される。このとき熱伝導部材３１は、収納空間１１側に位置し、その一部は収納空間１１側に露出している。蓋体３０をトレイとして使用するときは第２嵌合部３８が開口部１２に嵌合される。このとき熱伝導部材３１は上方に位置し、物品７の載置面となっている。熱伝導部材３１には、蓋体２０をトレイとして使用する際に物品７を置くための凹部形状のホルダ部３１ａが設けられている。
【００５９】
収納空間１１側に対して熱伝導部材３１の反対側にはペルチェモジュール４０の第１絶縁基板２が接合されている。ペルチェモジュール４０の第２絶縁基板３にはフィン４１が接合されている。ペルチェモジュール４０に対してフィン４１の反対側にはファン４２が設けられている。
【００６０】
第１空気通路３３は蓋体３０内に蓋体３０の平板面と略平行に設けられた、フィン４１に空気を送るための空気通路である。第２実施形態ではフィン４１、ファン４２は第１空気通路３３中に存在する。第１空気通路３３の両端面は外板３６に覆われ、その外板２６の部分に空気を排出するための空気排出口３３ａが設けられている。第１空気通路３３と熱伝導部材３１の間には断熱部材３２が設けられている。
【００６１】
第１空気通路３３はペルチェモジュール４０の第２絶縁基板３側と熱交換する空気を通すための空気通路である。フィン４１に対してファン４２の反対側の外板３６には第１空気通路３３に空気を取り入れるための空気供給口３４が設けられている。ファン４２によって、空気供給口３４から取り入れられた空気はフィン４１で熱交換し空気排出口３３ａから排出される。熱伝導部材３１、断熱部材３２の材料は、熱伝導部材２１、断熱部材２２と同じものを使用している。
【００６２】
物品７を保冷保温庫内に保管して保冷または保温するときは、図５のように、飲食物が入った物品７を収納空間１１内に入れて、第１嵌合部３７が開口部１２に嵌合するように蓋体３０を本体ケース１０上に載置する。
【００６３】
図示されていないが蓋体３０の外板３６の外部には、保冷か保温を選択するスイッチと、その温度を指示する操作部が設けられている。そのスイッチで保冷を選択すると、図示されていない蓋体３０に設けられた制御部により熱伝導部材３１を冷却するようにペルチェモジュール４０に電流が流される。すなわち、ペルチェモジュール４０の第１絶縁基板２が吸熱側、第２絶縁基板３が放熱側になるようペルチェモジュール４０に電流が流される。
【００６４】
熱伝導部材３１が冷却されることにより、第１実施形態と同様、物品７が保冷される。このとき吸熱された熱は第２絶縁基板３側に放熱され、フィン４１に伝達される。ファン４２の回転により空気供給口３３から取り入れられた空気は、フィン４１で熱交換したのち、第１空気通路３３を通って空気排出口３３ａから排出される。こうしてフィン４１により第２絶縁基板３の熱が放熱されるので、保冷のエネルギー効率が向上される。
【００６５】
一方、スイッチで保温を選択すると、蓋体３０に設けられた制御部により熱伝導部材３１を加熱するようにペルチェモジュール４０に電流が流される。すなわち、ペルチェモジュール４０の第１絶縁基板２が放熱側、第２絶縁基板３が吸熱側になるようペルチェモジュール４０に電流が流される。
【００６６】
熱伝導部材３１が加熱されることにより、第１実施形態と同様、物品７が保温される。このとき第２絶縁基板３側は吸熱され冷却される。第１実施形態では第２絶縁基板３に接合されているフィン４１が冷却される。
【００６７】
ファン４２の回転により空気供給口３３から取り入れられた空気は、フィン４１で熱交換したのち、第１空気通路３３を通って空気排出口３３ａから排出される。フィン４１により第２絶縁基板３が温められるので、保温のエネルギー効率が向上される。
【００６８】
飲食物を飲食するときは、図６のように、蓋体３０をトレイとして使用する。すなわち、蓋体３０を上下逆転して第２嵌合部３８が開口部１２に嵌合するように本体ケース１０上に載置する。飲食物が入った物品７を熱伝導部材３１のホルダ部３１ａに置いて飲食する。上記の保管時と同様に操作部のスイッチで保冷を選択すると熱伝導部材３１が冷却され、保温を選択すると熱伝導部材３１が加熱される。このときファン４２の回転により収納空間１１側から空気が取り入れられる。本体ケース１０と蓋体３０の間のわずかな隙間から外気が収納空間１１に取り入れられる。
【００６９】
保冷が必要な飲食物の場合はスイッチを保冷にし、保温が必要な飲食物の場合はスイッチを保温にする。こうして、第１実施形態と同様、飲食中に飲食物の温度が飲食物に適した温度に保つことができ、飲食物をおいしく食べることができる。第２実施形態でも第１実施形態と同様、蓋体３０のみでトレイとして使用することもできる。
【００７０】
第２実施形態も開口部が本体ケースの上方に設けられ、収納空間側に設けられた熱伝導部材が物品の載置面になっているので、蓋体を上下反転させるだけで、物品収納時にも物品使用時にも物品を保冷または保温できる。第２実施形態の場合には、収納空間１１側が断熱されていないので、物品使用時には収納空間１１を保冷または保温し続けることはできない。さらに開口部が上方にあれば、物品が本体ケースに入れてあるときに蓋体を開ける際に誤って物品が転がり出ることを防止できる。
【００７１】
図７は第３実施形態の保冷保温庫の飲食物収納時の説明断面図である。図８は第３実施形態の保冷保温庫の飲食時の説明断面図である。第３実施形態の保冷保温庫の本体ケースは第１実施形態と同様の構造であり、同じ符号を付与し説明を省略する。第３実施形態の保冷保温庫は本体ケース１０と蓋体５０で構成されている。
【００７２】
蓋体５０には熱伝導部材５１、断熱部材５２、第１空気通路５３、空気供給口５４、ペルチェモジュール４０、フィン４１、ファン４２および外板５６から構成されている。蓋体５０の外径形状は略平板状である。蓋体５０の一方面側には熱伝導部材５１が設けられている。熱伝導部材５１は断熱部材５２で包囲されている。蓋体５０の表面側の断熱部材５２は熱伝導部材５１が外部に露出するように穴が開けられ、この部分がホルダ部５５となっている。断熱部材５２の外周部を覆う外板５６の一部で構成され開口部１２と嵌合する第１嵌合部５７が設けられている。蓋体５０の他方面側には開口部１２と嵌合する第２嵌合部５８を有する外板５６が設けられている。第１嵌合部５７、第２嵌合部５８は開口部１２の周囲全体にわたって設けられている。
【００７３】
収納空間１１内に物品７を保冷または保温するために蓋体５０を本体ケース１０上に載置するときは第１嵌合部５７が開口部１２に嵌合される。このとき熱伝導部材５１は、収納空間１１側に位置し、その一部は収納空間１１側に露出している。蓋体５０をトレイとして使用するときは第２嵌合部５８が開口部１２に嵌合される。このとき熱伝導部材５１は上方に位置し、物品７の載置面となっている。
【００７４】
収納空間１１側に対して熱伝導部材５１の反対側にはペルチェモジュール４０の第１絶縁基板２が接合されている。ペルチェモジュール４０の第２絶縁基板３にはフィン４１が接合されている。ペルチェモジュール４０に対してフィン４１の反対側にはファン４２が設けられている。
【００７５】
第１空気通路５３は蓋体５０内に蓋体５０の平板面と略平行に設けられた、フィン４１に空気を送るための空気通路である。第３実施形態では第２実施形態と同様、フィン４１、ファン４２は第１空気通路５３中に存在する。第１空気通路５３の両端面は外板５６に覆われ、その外板２６の部分に空気を排出するための空気排出口５３ａが設けられている。
【００７６】
第１空気通路５３はペルチェモジュール４０の第２絶縁基板３側と熱交換する空気を通すための空気通路である。フィン４１に対してファン４２の反対側の外板５６には第１空気通路５３に空気を取り入れるための空気供給口５４が設けられている。ファン４２によって、空気供給口５４から取り入れられた空気はフィン４１で熱交換し空気排出口５３ａから排出される。熱伝導部材５１、断熱部材５２の材料は、熱伝導部材２１、断熱部材２２と同じものを使用している。
【００７７】
物品７を保冷保温庫内に保管して保冷または保温するときは、図５のように、飲食物が入った物品７を収納空間１１内に入れて、第１嵌合部５７が開口部１２に嵌合するように蓋体５０を本体ケース１０上に載置する。
【００７８】
図示されていないが蓋体５０の外板５６の外部には、保冷か保温を選択するスイッチと、その温度を指示する操作部が設けられている。そのスイッチで保冷を選択すると、図示されていない蓋体５０に設けられた制御部により熱伝導部材５１を冷却するようにペルチェモジュール４０に電流が流される。すなわち、ペルチェモジュール４０の第１絶縁基板２が吸熱側、第２絶縁基板３が放熱側になるようペルチェモジュール４０に電流が流される。
【００７９】
熱伝導部材５１が冷却されることにより、第１実施形態と同様、物品７が保冷される。このとき吸熱された熱は第２絶縁基板３側に放熱され、フィン４１に伝達される。
【００８０】
ファン４２の回転により空気供給口５３から取り入れられた空気は、フィン４１で熱交換したのち、第１空気通路５３を通って空気排出口５３ａから排出される。こうしてフィン４１により第２絶縁基板３の熱が放熱されるので、保冷のエネルギー効率が向上される。
【００８１】
一方、スイッチで保温を選択すると、蓋体５０に設けられた制御部により熱伝導部材５１を加熱するようにペルチェモジュール４０に電流が流される。すなわち、ペルチェモジュール４０の第１絶縁基板２が放熱側、第２絶縁基板３が吸熱側になるようペルチェモジュール４０に電流が流される。
【００８２】
熱伝導部材５１が加熱されることにより、第１実施形態と同様、物品７が保温される。このとき第２絶縁基板３側は吸熱され冷却される。第１実施形態では第２絶縁基板３に接合されているフィン４１が冷却される。
【００８３】
ファン４２の回転により空気供給口５３から取り入れられた空気は、フィン４１で熱交換したのち、第１空気通路５３を通って空気排出口５３ａから排出される。フィン４１により第２絶縁基板３が温められるので、保温のエネルギー効率が向上される。
【００８４】
飲食物を飲食するときは、図８のように、蓋体５０をトレイとして使用する。すなわち、蓋体５０を上下逆転して第２嵌合部５８が開口部１２に嵌合するように本体ケース１０上に載置する。飲食物が入った物品７を熱伝導部材５１のホルダ部５５に置いて飲食する。上記の保管時と同様に操作部のスイッチで保冷を選択すると熱伝導部材５１が冷却され、保温を選択すると熱伝導部材５１が加熱される。このときファン４２の回転により収納空間１１側から空気が取り入れられる。本体ケース１０と蓋体５０の間のわずかな隙間から外気が収納空間１１に取り入れられる。
【００８５】
保冷が必要な飲食物の場合はスイッチを保冷にし、保温が必要な飲食物の場合はスイッチを保温にする。こうして、第１実施形態と同様、飲食中に飲食物の温度が飲食物に適した温度に保つことができ、飲食物をおいしく食べることができる。第３実施形態でも第１実施形態と同様、蓋体５０のみでトレイとして使用することもできる。
【００８６】
第３実施形態も開口部が本体ケースの上方に設けられ、収納空間側に設けられた熱伝導部材が物品の載置面になっているので、蓋体を上下反転させるだけで、物品収納時にも物品使用時にも物品を保冷または保温できる。第２実施形態の場合には、収納空間側が断熱されていないので、物品使用時には収納空間を保冷または保温し続けることはできない。さらに開口部が上方にあれば、物品が本体ケースに入れてあるときに蓋体を開ける際に誤って物品が転がり出ることを防止できる。
【００８７】
図９は第４実施形態の保冷保温庫の飲食物収納時の説明断面図である。図１０は第４実施形態の保冷保温庫の飲食時の説明断面図である。第４実施形態の保冷保温庫には、物品７を収納する収納空間６１および物品７を出し入れするための開口部６２を有する本体ケース６０と、蓋体７０とが設けられている。物品７は飲食物をいれたカップやボトルである。収納空間６１は略直方体形状である。本体ケース６０は断熱材６３を内張６４と外板６５で挟持した断熱構造で構成されている。本体ケース６０の開口部６２は側方に設けられている。このため、本体ケース６０を蓋体７０で閉めたときの蓋体７０の平板面方向は略鉛直方向である。本体ケース６０の下方の外板６５は開口部６２より突出し、その先端は上方に折り曲がっており、物品収納時に蓋体７０を受ける蓋体受け部６５ａとなっている。
【００８８】
蓋体７０には熱伝導部材７１、断熱部材７２、第１空気通路７３、第２空気通路７４、仕切部材７５、ペルチェモジュール４０、フィン４１、ファン４２および外板７６から構成されている。蓋体７０の外径形状は略平板状である。蓋体７０の一方面側には、熱伝導部材７１と、熱伝導部材７１の外周部を覆う外板７６の一部で構成され物品収納時に開口部６２と嵌合する第１嵌合部７７が設けられている。第１嵌合部７７は、開口部６２の下方辺を除く三方辺に設けられている。蓋体７０の他方面側には物品使用時に本体ケース６０の上方面部６６と嵌合するとともに、物品収納時には、その一辺が蓋体受け部６５ａの端部に当接する第２嵌合部７８を有する外板７６が設けられている。第２嵌合部７８は上方面部６６の周囲全体にわたって設けられている。
【００８９】
収納空間６１内に物品７を保冷または保温する物品収納時には蓋体７０を蓋体受け部６５ａに嵌め込むとともに第１嵌合部７７を開口部６２に嵌合する。このとき熱伝導部材７１は、収納空間６１側に位置し、その一部は収納空間６１側に露出している。蓋体７０をトレイとして使用する物品使用時には第２嵌合部７８を本体ケース６０の上方面部６６に嵌合する。このとき熱伝導部材７１は上方に位置し、物品７の載置面となっている。熱伝導部材７１には、蓋体７０をトレイとして使用する際に物品７を置くための凹部形状のホルダ部７１ａが設けられている。
【００９０】
収納空間６１側に対して熱伝導部材７１の反対側にはペルチェモジュール４０の第１絶縁基板２が接合されている。ペルチェモジュール４０の第２絶縁基板３にはフィン４１が接合されている。ペルチェモジュール４０に対してフィン４１の反対側にはファン４２が設けられている。
【００９１】
第１空気通路７３は蓋体７０内に蓋体７０の平板面と略平行に設けられた、フィン４１に空気を送るための空気通路である。第１空気通路７３の両端面は外板７６に覆われ、その外板７６の部分に外気を取り入れるための空気供給口７３ａが設けられている。第１空気通路７３はペルチェモジュール４０の第２絶縁基板３側と熱交換する空気を通すための空気通路である。第１空気通路７３と熱伝導部材７１の間には断熱部材７２が設けられている。
【００９２】
蓋体７０内には第１空気通路７３に略平行な第２空気通路７４が熱伝導部材７１に対して第１空気通路７３の反対側に設けられ、第１空気通路７３と第２空気通路７４の間は仕切部材７５で仕切られている。第２空気通路７４の両端面は外板７６に覆われ、その外板７６の部分に空気を排出するための空気排出口７４ａが設けられている。仕切部材７５には穴部が形成され、ここにファン４２が設けられている。第１空気通路７３と第２空気通路７４はファン４２の部分で連通している。
【００９３】
ファン４２によって、空気供給口７３ａから取り入れられた空気は第１空気通路７３を通ってフィン４１で熱交換し第２空気通路７４を通って空気排出口７４ａから排出される。第４実施形態では、第１空気通路７３が送気通路であり、第２空気通路７４が排気通路である。
【００９４】
熱伝導部材７１、断熱部材７２、仕切部材７５の材料としては第１実施形態と同様のものが使用されている。
【００９５】
物品７を保冷保温庫内に保管して保冷または保温するときは、図９のように、飲食物が入った物品７を収納空間６１内に入れて、蓋体７０を蓋体受け部６５ａに嵌め込むとともに第１嵌合部７７を開口部６２に嵌合する。図示されていないが、蓋体７０と本体ケース６０の互いの上部はラッチによって連結される。このまま保冷保温庫を運搬することもできる。その場合、保冷保温庫に取っ手などを設け、運搬しやすくする。運搬時には、物品７として飲食物がこぼれにくい容器が使用される。
【００９６】
図示されていないが蓋体７０の外板７６の外部には、保冷か保温を選択するスイッチと、その温度を指示する操作部が設けられている。そのスイッチで保冷を選択すると、図示されていない蓋体７０に設けられた制御部により熱伝導部材７１を冷却するようにペルチェモジュール４０に電流が流される。すなわち、ペルチェモジュール４０の第１絶縁基板２が吸熱側、第２絶縁基板３が放熱側になるようペルチェモジュール４０に電流が流される。
【００９７】
熱伝導部材７１が冷却されると、熱伝導部材７１の近くの空気が冷却され、収納空間６１が冷却される。これにより物品７が保冷される。制御部は操作部で設定された温度になるようペルチェモジュール４０に流す電流を制御する。このとき吸熱された熱は第２絶縁基板３側に放熱される。第１実施形態では第２絶縁基板３の熱はフィン４１に伝達される。
【００９８】
ファン４２の回転により空気が空気供給口７３ａから第１空気通路７３に取り入れられ、フィン４１で熱交換し第２空気通路７４を通って空気排出口７４ａから排出される。こうしてフィン４１により第２絶縁基板３の熱が放熱されるので、保冷のエネルギー効率が向上される。
【００９９】
一方、スイッチで保温を選択すると、蓋体７０に設けられた制御部により熱伝導部材７１を加熱するようにペルチェモジュール４０に電流が流される。すなわち、ペルチェモジュール４０の第１絶縁基板２が放熱側、第２絶縁基板３が吸熱側になるようペルチェモジュール４０に電流が流される。
【０１００】
熱伝導部材７１が加熱されると、熱伝導部材７１の近くの空気が加熱され、収納空間６１が加熱される。これにより物品７が保温される。制御部は操作部で設定された温度になるようペルチェモジュール４０に流す電流を制御する。このとき第２絶縁基板３側は吸熱され冷却される。第１実施形態では第２絶縁基板３に接合されているフィン４１が冷却される。
【０１０１】
ファン４２の回転により空気が空気供給口７３ａから第１空気通路７３に取り入れられ、フィン４１で熱交換し第２空気通路７４を通って空気排出口７４ａから排出される。こうしてフィン４１により第２絶縁基板３が温められるので、保温のエネルギー効率が向上される。
【０１０２】
飲食物を飲食するときは、図１０のように、蓋体７０をトレイとして使用する。すなわち、蓋体７０の第２嵌合部７８を本体ケース６０の上方面部６６に嵌合して載置する。飲食物が入った物品７を熱伝導部材７１のホルダ部７１ａに置いて飲食する。上記の保管時と同様に操作部のスイッチで保冷を選択すると熱伝導部材７１が冷却され、保温を選択すると熱伝導部材７１が加熱される。保冷が必要な飲食物の場合はスイッチを保冷にし、保温が必要な飲食物の場合はスイッチを保温にする。こうして、飲食中に飲食物の温度が飲食物に適した温度に保つことができ、飲食物をおいしく食べることができる。また本体ケース６０上に載置した蓋体７０をトレイとして使用するので、本体ケース６０が机等の代わりになり、机等がない場所でも食べやすい効果を奏する。第４実施形態では本体ケース６０の開口部６２が側方に設けられているので、物品７を容易に取り出すことができる。さらに温度調節装置が低い位置にあるため重心が低くなり保冷保温庫の安定感が増す効果を奏する。第４実施形態でも第１実施形態と同様、蓋体７０のみでトレイとして使用することもできる。
【０１０３】
なお、実施形態では飲食物の保冷保温庫として説明したが、例えば、つりエサ等の保冷保温庫としても利用できる。実施形態ではペルチェモジュールを温度調節装置として使用したが、温度調節可能な装置であれば利用可能であり、例えば、コンプレッサ式温度調節装置、パルス式ヒートポンプなどが利用できる。温度調節装置としてペルチェモジュールを使用すれば、蓋体を小型化できるとともに、供給電流の向きを変えるだけで保冷と保温を切り替えることができる。実施形態では、ペルチェモジュールによる温度調整はペルチェモジュールに流す電流量によって行っているが、ペルチェモジュールに流す電流をオン・オフして行ってもよい。
【０１０４】
温度調節装置の設置位置、温度調節装置の台数も実施形態以外の形態も利用できる。本体ケースの開口部が上方に設けられている場合には熱伝導部材も収納空間冷却加熱用と物品冷却加熱用にそれぞれ設けると、収納空間に物品を保冷保温しながら使用中の物品を保温保冷できる効果を奏する。第１実施形態から第３実施形態では蓋体の外板が断熱材料であるので、図２、図６、図８のように、物品使用時に蓋体を本体ケースの開口部に載置して使用すれば、外板によって収納空間が外気から遮蔽され、収納空間内の物品も保冷保温できる。実施形態のように一つの熱伝導部材を収納空間冷却加熱用にも物品冷却加熱用にも使用できるようにすれば、蓋体を小型化できるとともに低コスト化できる。
【０１０５】
また第１空気通路、第２空気通路の構造や、ファンの位置についても発明の趣旨を逸脱しない範囲で様々な構成が適用できる。図中、白抜き矢印は空気の流れを表している。
【０１０６】
【発明の効果】
以上のように、本発明は、物品を収納する収納空間および前記物品を出し入れするための開口部を有する本体ケースと、前記開口部を開閉する蓋体とが設けられ、前記蓋体には、前記物品を載置する載置面と、該載置面および前記収納空間を冷却または加熱する温度調節装置が設けられていることを特徴とする保冷保温庫であるので、物品収納時にも物品使用時にも物品を保冷保温できる保冷保温庫を提供できる。
【図面の簡単な説明】
【図１】第１実施形態の保冷保温庫の飲食物収納時の説明断面図
【図２】第１実施形態の保冷保温庫の飲食時の説明断面図
【図３】ペルチェモジュールの斜視図
【図４】蓋体のみをトレイとして使用するときの説明断面図
【図５】第２実施形態の保冷保温庫の飲食物収納時の説明断面図
【図６】第２実施形態の保冷保温庫の飲食時の説明断面図
【図７】第３実施形態の保冷保温庫の飲食物収納時の説明断面図
【図８】第３実施形態の保冷保温庫の飲食時の説明断面図
【図９】第４実施形態の保冷保温庫の飲食物収納時の説明断面図
【図１０】第４実施形態の保冷保温庫の飲食時の説明断面図
【符号の説明】
１…熱電素子
２…第１絶縁基板
３…第２絶縁基板
７…物品
１０、６０…本体ケース
１１、６１…収納空間
１２、６２…開口部
２０、７０…蓋体
２１、３１、５１、７１…熱伝導部材（載置面）
２２、３２、５２、７２…断熱部材
２３、３３、５３、７３…第１空気通路
２４、７４…第２空気通路
４０…ペルチェモジュール（温度調節装置）
【図１】
2004271035.tif 000003
【図２】
2004271035.tif 000004
【図３】
2004271035.tif 000005
【図４】
2004271035.tif 000006
【図５】
2004271035.tif 000007
【図６】
2004271035.tif 000008
【図７】
2004271035.tif 000009
【図８】
2004271035.tif 000010
【図９】
2004271035.tif 000011
【図１０】
2004271035.tif 000012